(57)【要約】【課題】ゴム臭に対するより優れた消臭効果を発揮し、特にアルデヒド類に対する消臭効果に効果的なゴムの消臭方法及び浄化空気の製造方法を提供すること。【解決手段】本発明のゴムの消臭方法及び浄化空気の製造方法は、ゴムの臭気成分を、ベタイン関連化合物とスルホン酸塩との混合物（Ａ）、及び両性高分子ポリアクリルアミド（共）重合体（Ｂ）と反応させる工程を含むことを特徴とする。【選択図】図１
2012180420.tif 000002
【特許請求の範囲】
【請求項１】
ゴムの臭気成分を、ベタイン関連化合物とスルホン酸塩との混合物（Ａ）、及び両性高分子ポリアクリルアミド（共）重合体（Ｂ）と反応させる工程を含むことを特徴とするゴムの消臭方法。
【請求項２】
ゴムの臭気成分を含む空気を、ベタイン関連化合物とスルホン酸塩との混合物（Ａ）、及び両性高分子ポリアクリルアミド（共）重合体（Ｂ）と反応させる工程を含むことを特徴とするゴム臭が低減された浄化空気の製造方法。
【請求項３】
ゴムの臭気成分を、ベタイン関連化合物とスルホン酸塩との混合物（Ａ）と反応させた後、両性高分子ポリアクリルアミド（共）重合体（Ｂ）と反応させる工程を含むことを特徴とする請求項１に記載のゴムの消臭方法。
【請求項４】
ゴムの臭気成分を含む空気を、ベタイン関連化合物とスルホン酸塩との混合物（Ａ）と反応させた後、両性高分子ポリアクリルアミド（共）重合体（Ｂ）と反応させる工程を含むことを特徴とする請求項２に記載のゴム臭が低減された浄化空気の製造方法。
【請求項５】
前記両性高分子ポリアクリルアミド（共）重合体（Ｂ）が、（メタ）アクリル酸−（メタ）アクリルアミド−ジメチルアミノメチル（メタ）アクリルアミド三元共重合体であることを特徴とする請求項１または３に記載のゴムの消臭方法。
【請求項６】
前記両性高分子ポリアクリルアミド（共）重合体（Ｂ）が、（メタ）アクリル酸−（メタ）アクリルアミド−ジメチルアミノメチル（メタ）アクリルアミド三元共重合体であることを特徴とする請求項２または４に記載のゴム臭が低減された浄化空気の製造方法。
【請求項７】
ゴムの臭気成分を、ベタイン関連化合物とスルホン酸塩との混合物（Ａ）、及び両性高分子ポリアクリルアミド（共）重合体（Ｂ）と反応させた後、臭気強度２．０以下の低濃度臭気、または外気を用いて混合希釈する工程を含むことを特徴とする請求項１、３または５に記載のゴムの消臭方法。
【発明の詳細な説明】
【技術分野】
【０００１】
本発明は、特定の化合物を組み合わせて反応する工程を含むことによって、優れた効果を発揮するゴムの消臭方法及び浄化空気の製造方法に関する。
【背景技術】
【０００２】
種々の製品を取り扱う製造工程では、人に対して不快感を与えるような臭気が発生する場合があり、なかでも天然ゴムの素練り工程等においては、不快なゴム臭が発生する可能性が高い。かかるゴム臭は、屋内環境を悪化させるおそれがあるだけでなく、排気ダクトを通じて屋外にも排出される場合があり、周辺の環境に配慮する上でも可能な限り低減されるのが望ましい。
【０００３】
こうした中、例えば、ゴムを取り出す際の温度を特定値に制御する方法（特許文献１参照）や特定の押出機と不活性ガスを用いた方法が開示されており（特許文献２）、また悪臭物質と反応し得る特定の化合物を用いた消臭剤や消臭方法（特許文献３〜５参照）も開示されている。さらに、特定の脱臭器を具えた脱臭装置も開示されており（特許文献６）、あらゆる観点から原臭であるゴム臭を低減する試みがなされている。
【先行技術文献】
【特許文献】
【０００４】
【特許文献１】特開２００６−２５７２３７号公報
【特許文献２】特開平０９−７６３２４号公報
【特許文献３】特開平０８−３０２０６９号公報
【特許文献４】特公平０６−７８４３６号公報
【特許文献５】特開２００５−１４４２７２号公報
【特許文献６】特開平１１−１４０２２２号公報
【発明の概要】
【発明が解決しようとする課題】
【０００５】
しかしながら、このようなゴム臭は揮発性の脂肪酸のほか、アルデヒド類や窒素環状化合物、アンモニア等の複数の悪臭成分から構成されており、各成分に対して有効な消臭作用を及ぼすのは非常に困難であるため、上記のような消臭剤や消臭方法であっても必ずしも充分な消臭効果を発揮するとはいえない。特に、より詳細な臭気分析によれば、こうしたゴム臭への影響が最も大きいと考えられるアルデヒド類に対する除去効果に関しては、依然として改善の余地が残されている。
【０００６】
そこで、本発明は、ゴム臭に対するより優れた消臭効果を発揮し、特にアルデヒド類に対する消臭効果に効果的なゴムの消臭方法及び浄化空気の製造方法を提供することを目的としている。
【課題を解決するための手段】
【０００７】
本発明者らは、上記課題を解決すべく、ゴムの臭気成分を特定の化合物と反応させる工程を含むゴムの消臭方法、並びにゴム臭が低減された浄化空気の製造方法を見出し、本発明を完成させるに至った。
【０００８】
すなわち、本発明のゴムの消臭方法は、
ゴムの臭気成分を、ベタイン関連化合物とスルホン酸塩との混合物（Ａ）、及び両性高分子ポリアクリルアミド（共）重合体（Ｂ）と反応させる工程を含むことを特徴とする。
また、本発明のゴム臭が低減された浄化空気の製造方法は、
ゴムの臭気成分を含む空気を、ベタイン関連化合物とスルホン酸塩との混合物（Ａ）、及び両性高分子ポリアクリルアミド（共）重合体（Ｂ）と反応させる工程を含むことを特徴とする。
【０００９】
上記ゴムの消臭方法及びゴム臭が低減された浄化空気の製造方法は、ゴムの臭気成分を、ベタイン関連化合物とスルホン酸塩との混合物（Ａ）と反応させた後、両性高分子ポリアクリルアミド（共）重合体（Ｂ）と反応させる工程を含んでもよい。
【００１０】
さらに、前記両性高分子ポリアクリルアミド（共）重合体（Ｂ）は、（メタ）アクリル酸−（メタ）アクリルアミド−ジメチルアミノメチル（メタ）アクリルアミド三元共重合体であるのが望ましい。
また、前記ゴムの消臭方法は、ゴムの臭気成分を、ベタイン関連化合物とスルホン酸塩との混合物（Ａ）、及び両性高分子ポリアクリルアミド（共）重合体（Ｂ）と反応させた後、臭気強度２．０以下の低濃度臭気、または外気を用いて混合希釈する工程を含んでもよい。
【発明の効果】
【００１１】
本発明のゴムの消臭方法によれば、ベタイン関連化合物とスルホン酸塩との混合物（Ａ）及び特定の両性高分子ポリアクリルアミド（共）重合体（Ｂ）を用いて、ゴムの臭気成分と反応させるので、これらの相乗効果によりゴム臭が不快に感じられない程度に低減され、特にゴム臭の主要臭気成分であるアルデヒド類に対する消臭効果に優れ、非常に有効にゴム臭の消臭効果を発揮することができる。
【００１２】
また、これら同様の化合物を用いる本発明の浄化空気の製造方法によれば、非常に有効にゴム臭が低減された浄化空気を得ることが可能となり、周囲の環境改善にも大きく寄与することができる。
【図面の簡単な説明】
【００１３】
【図１】本発明の一態様である消臭方法を実施するための消臭装置の断面図である。
【図２】図１に示す消臭装置の一部に用いられる２流体ノズルの断面図である。
【発明を実施するための形態】
【００１４】
以下、本発明について、必要に応じて図面を参照しつつ具体的に説明する。
本発明のゴムの消臭方法は、
ゴムの臭気成分を、ベタイン関連化合物とスルホン酸塩との混合物（Ａ）、及び両性高分子ポリアクリルアミド（共）重合体（Ｂ）と反応させる工程を含むことを特徴とする。
【００１５】
［ゴムの臭気成分］
ゴムの臭気成分、いわゆるゴム臭とは、ゴムから発生するか、ゴムを加工する際に発生する臭気である。環境中、特に空気中に放出される臭気成分からなる。温度等の影響によって発生する揮発成分も包含される。例えば、ゴムの臭気成分は、低級脂肪酸、アセトアルデヒド、プロピオンアルデヒド及びイソバレルアルデヒド等のアルデヒド類、メチルイソブチルケトン、トリメチルアミン、アルキルベンゼン類、これらの誘導体、或いはこれら又は他の物質との反応生成物等である。なかでもアルデヒド類は、ゴムの臭気成分の主要臭気成分であり、本発明の方法によれば、特にこのアルデヒド類を効果的に低減させることが可能となる。
【００１６】
［ベタイン関連化合物とスルホン酸塩との混合物（Ａ）］
ベタイン関連化合物とは、ベタイン化合物とその誘導体を包含する化合物である。ベタイン化合物は、下記式（Ｉ）で表され、その誘導体とともに臭気成分の化学的中和剤として作用する。
【００１７】
【化１】
2012180420.tif 000003
式中、Ｒ1〜Ｒ3は、同一であっても異なっていてもよいアルキル基を示す。かかるベタイン関連化合物としては、具体的には、例えば、トリメチルグリシン（グリシンベタイン）が好適なものとして挙げられる。
【００１８】
ベタイン関連化合物の消臭機構は、化学反応によって臭気成分を無臭物質とする化学的中和であるため、その消臭作用は速攻的で長期間持続する。例えば、低級脂肪酸、アルデヒド類、ケトン類等が消臭対象となる。
【００１９】
本発明では、このベタイン関連化合物にスルホン酸塩を添加した混合物（Ａ）を用いる。かかるスルホン酸塩は、ゴムの臭気成分の主要臭気成分であるアルデヒド類に対して特異的な化学的中和剤として作用するので、これらの成分に極めて効果的な消臭作用を発揮することができる。また、一部のスルホン酸塩が乖離して、上記式（Ｉ）で表される一部のベタイン関連化合物においてＲ1〜Ｒ3の少なくとも１つがスルホン酸塩から誘導されるスルホン酸基に置換された化合物となり、これがさらにアルデヒド類に対する消臭作用を発揮するものと考えられる。かかるスルホン酸塩とは、−ＳＯ3Ｍ基（Ｍはナトリウム、カリウム、アンモニウム又はアミンを示す）を有する塩であり、具体的には、例えば、アルキルベンゼンスルホン酸塩、α−オレフィンスルホン酸塩、アルカンスルホン酸塩、α−スルホ脂肪酸エステル塩、アシルイセチオン酸塩、Ｎ−アシル−Ｎ−メチルタウリン酸塩、ジアルキルスルホコハク酸塩、アルキルナフタレンスルホン酸塩が挙げられる。
【００２０】
ベタイン関連化合物とスルホン酸塩との混合物（Ａ）は、例えば、上記ベタイン関連化合物に上記スルホン酸塩を添加し、常温にて混合、攪拌することによって得ることができる。このベタイン関連化合物とスルホン酸塩との混合物（Ａ）は、さらに水を加えた水溶液の状態で用いてもよく、例えば、上市のものとして、ＨＰＢＳ−０７（エポリオン社製）を好適に用いることができる。
【００２１】
好ましくは、臭気成分又はそれを含有する空気は、ベタイン関連化合物とスルホン酸塩との混合物（Ａ）を噴霧して十分に反応（中和）させる。噴霧は、特に制限されることなく、種々の手段により行うことができる。
【００２２】
特に好ましくは、エアー等の気体放出ノズルを備える２流体ノズルを用いる。ベタイン関連化合物に圧力をかけて噴霧するのみ（１流体ノズル）では、ミスト径がφ６０μｍ程度にしか微細化できないが、気体放出ノズルによってミスト径をφ１０μｍ程度に最微細化することができる。ミスト径がφ６０μｍからφ１０μｍになると、臭気成分との接触面積が６倍になり、より効果的な気液接触が可能となる。
【００２３】
［両性高分子ポリアクリルアミド（共）重合体（Ｂ）］
両性高分子ポリアクリルアミド（共）重合体（Ｂ）とは、アニオン基及びカチオン基の両性反応基を有する両性高分子化合物であり、代表的には、分子量が約２０００万の、線状の物質で、両性の電荷をもった水溶性の高分子化合物である。具体的には、例えば、（メタ）アクリル酸−（メタ）アクリルアミド−ジメチルアミノメチル（メタ）アクリルアミド−三元ポリマー、すなわち、（メタ）アクリル酸と（メタ）アクリルアミドとジメチルアミノメチル（メタ）アクリルアミドとからなる三元（共）重合体が好適なものとして挙げられる。
【００２４】
両性高分子ポリアクリルアミド（共）重合体（Ｂ）の消臭機構は、この物質が、分子線を複雑に絡め、固体化した状態で存在し、臭気成分を非常に絡め取り易い構造をしており、臭気成分に対して圧倒的に大きなサイズを有することや、臭気成分を分子間引力によって引き寄せることや、その多孔構造から、吸着性能に著しく優れていることに基づく。臭気成分が吸着された後、アニオン基及びカチオン基という両性の反応基がその臭気成分に応じて化学反応を起こして結合し、後になって臭気を放出することがない。また、かかる両性高分子ポリアクリルアミド（共）重合体（Ｂ）は、上記ベタイン関連化合物とスルホン酸塩との混合物（Ａ）によって中和された物質に対しても、吸着及び化学反応を引き起こし、さらに消臭効果を発揮することができる。
【００２５】
この両性高分子ポリアクリルアミド（共）重合体（Ｂ）も、水を加えた水溶液の状態で用いることができる。他に、希釈剤として、エタノールのようなアルコール等の有機化合物を配合することができる。アルコール等は抗菌作用も発揮する。推進剤（又は噴射剤）として、ジメチルエーテルのようなエーテル等の有機化合物を配合することができる。例えば、両性高分子ポリアクリルアミド（共）重合体（Ｂ）を主成分とするＳ−ＥＢ／１０（西華産業（株）製、（メタ）アクリル酸−（メタ）アクリルアミド−ジメチルアミノメチル（メタ）アクリルアミド−三元共重合体）を用いることができる。
【００２６】
好ましくは、臭気成分又はこれを含有する空気は、ベタイン関連化合物とスルホン酸塩との混合物（Ａ）を反応（中和）させた後、両性高分子ポリアクリルアミド（共）重合体（Ｂ）を反応（中和）させる。ベタイン関連化合物とスルホン酸塩との混合物（Ａ）との反応に先立って両性高分子ポリアクリルアミド（共）重合体（Ｂ）を反応させると、臭気成分の消臭が十分でなくなるおそれがあり、却って不快臭が発生することがある。
【００２７】
好ましくは、臭気成分又はそれを含有する空気は、両性高分子ポリアクリルアミド（共）重合体（Ｂ）を噴霧して十分に反応（中和）させる。噴霧は、特に制限されることなく、種々の手段により行うことができる。
【００２８】
特に好ましくは、エアー等の気体放出ノズルを備える２流体ノズルを用いる。両性高分子ポリアクリルアミド（共）重合体（Ｂ）に圧力をかけて噴霧する１流体ノズルでは、ミスト径がφ６０μｍ程度にしか微細化できないが、気体放出ノズルによってミスト径をφ１０μｍ程度に最微細化することができる。最微細化により、より一層効果的な気液接触が可能となる。
【００２９】
両性高分子ポリアクリルアミド（共）重合体（Ｂ）は、乾燥すると水不溶性のゲル状物質となるが、乾燥していても絶えず環境中の水分を吸収し、水分子が鞠状の成分内を循環しながら表面から内側へと常に臭気成分を取り込んでいくことができる。
【００３０】
［ゴムの消臭方法及びゴム臭が低減された浄化空気の製造方法］
本発明に係るゴムの消臭方法には、ゴムから発生するゴム臭を低減させる方法、及びゴムから発生したゴム臭を低減させる方法が含まれる。ゴムから発生するゴム臭を低減させるには、ゴム中やゴム表面からのゴム臭の発生を抑えるのが有効である。
【００３１】
本発明に係るゴムの消臭方法は、ゴムの臭気成分を、ベタイン関連化合物とスルホン酸塩との混合物（Ａ）、及び両性高分子ポリアクリルアミド（共）重合体（Ｂ）と反応させる工程を含む。かかる工程は、具体的には、ゴム中に、ベタイン関連化合物とスルホン酸塩との混合物（Ａ）及び両性高分子ポリアクリルアミド（共）重合体（Ｂ）を同時に又は別々に添加するか、又はゴム表面に、ベタイン関連化合物とスルホン酸塩との混合物（Ａ）及び両性高分子ポリアクリルアミド（共）重合体（Ｂ）を同時に又は別々に噴霧や塗布等する工程であり、これら（Ａ）及び（Ｂ）をゴムの臭気成分と反応させると、ゴムからの臭気成分の発生自体が抑えられ、ゴム臭を著しく低減することができる。特には、まず、ゴムの臭気成分を、ベタイン関連化合物とスルホン酸塩との混合物（Ａ）を噴霧等することにより反応させた後、両性高分子ポリアクリルアミド（共）重合体（Ｂ）と反応させる工程を含むのが望ましい。これにより、臭気成分がベタイン関連化合物とスルホン酸塩との混合物（Ａ）によって化学的に分解され、次いでこの分解された臭気成分がさらに両性高分子ポリアクリルアミド（共）重合体（Ｂ）に吸着されて消臭反応が進行するので、より効果的にゴム臭を低減することが可能となり、特にアルデヒド類に対する消臭作用が顕著に向上することとなる。
【００３２】
さらには、ゴムの臭気成分を、ベタイン関連化合物とスルホン酸塩との混合物（Ａ）、及び両性高分子ポリアクリルアミド（共）重合体（Ｂ）と反応させた後、臭気強度２．０以下、好ましくは５００以下の低濃度臭気、或いは外気を用いて混合希釈する工程を含むゴムの消臭方法であるのが望ましい。
【００３３】
なお、本発明のゴム臭が低減された浄化空気の製造方法は、上記ゴムの消臭方法と同様に、ゴムの臭気成分を含む空気を、ベタイン関連化合物とスルホン酸塩との混合物（Ａ）、及び両性高分子ポリアクリルアミド（共）重合体（Ｂ）と反応させる工程を含むことにより、また好適には、ゴムの臭気成分を含む空気を、ベタイン関連化合物とスルホン酸塩との混合物（Ａ）と反応させた後、両性高分子ポリアクリルアミド（共）重合体（Ｂ）と反応させる工程を含むことにより、ゴム臭が低減された浄化空気、特にはアルデヒド類が顕著に低減された浄化空気を製造することが可能となる。
【００３４】
本発明に係るゴムの消臭方法及びゴム臭が低減された浄化空気の製造方法を実施するための消臭装置の一例について、以下図面を参照しつつ具体的に説明する。
【００３５】
図１はその一例である消臭装置の断面図である。図２は図１に示す消臭装置の一部に用いられる２流体ノズルの断面図である。図１の消臭装置１は管路２と噴霧機３、４とを備える。噴霧機３、４には、消臭剤を蓄えるサイフォンタンク５及び消臭剤の流量を検知する検知機６が備えられ、エアー７がコンプレッサーによって供給される。
【００３６】
ゴムの臭気成分を含有するガスは、管路２内を通路にして、Ａ方向に流れる。ゴムの臭気成分を含有するガスは、まず、噴霧機３によって、第１の消臭剤としてベタイン関連化合物とスルホン酸塩との混合物（Ａ）が噴霧され、管路２内をＡ方向に流れる間に十分に反応する。消臭剤の噴霧方向はガスの流れと同方向にするのがよい。反応後のガスは、その後、噴霧機４によって、第２の消臭剤として両性高分子ポリアクリルアミド（共）重合体（Ｂ）が噴霧され、これらが反応することによって臭気が除去される。
【００３７】
噴霧機３、４では、図２に示すような２流体ノズル１１が用いられる。２流体ノズル１１は消臭剤の通路１２とエアー７の通路１３とを備える。通路１２から放出される消臭剤は通路１３からのエアーによってミスト径を小さくすることができる。
【００３８】
図１に示すような消臭装置において、臭気成分は、上流において、例えば、噴霧機３により放出されるベタイン関連化合物とスルホン酸塩との混合物（Ａ）と反応し、下流において、例えば、臭気成分の流速にもよるが、噴霧機３から２〜５ｍ以上離れた下流の噴霧機４により放出される両性高分子ポリアクリルアミド（共）重合体（Ｂ）と反応させる。このような消臭装置は、例えば、ダクト内に配置することができ、ダクト内で消臭反応を行うことができる。
【００３９】
このような消臭装置は、ゴムの消臭方法を実施するためのものである。特に、上述した消臭装置は、ゴム臭が低減された浄化空気の製造方法を実施するための装置としても用いることができる。浄化空気を製造する場合、ゴム臭に汚染された原料空気は、屋内の空気や排気、屋外の空気でよい。また、製造された浄化空気は、屋内で再循環させるか、又は屋外に排気として放出することができる。浄化空気は、ゴム臭が著しく低減されるので、屋内で用いても、屋外に放出されても、ゴム臭に起因する不快が低減され、かかる不快に基づく苦情が発生しない。
【００４０】
他の消臭装置としては、臭気成分を消臭剤の溶液中に通して反応させるための洗浄びん等の洗浄漕を用いることができる。また、ゴム中、又はゴムの表面で、臭気成分と、ベタイン関連化合物とスルホン酸塩との混合物（Ａ）及び両性高分子ポリアクリルアミド（共）重合体（Ｂ）の双方とを同時に又は別々に反応させる装置、例えば、混練機又は塗布機等を用いることができる。
【実施例】
【００４１】
以下、本発明について、実施例に基づき具体的に説明するが、本発明はこれら実施例に限定されるものではない。
【００４２】
［実施例１〜３］
ベタイン関連化合物とスルホン酸塩との混合物（Ａ）として、上述のＨＰＢＳ−０７（エポリオン社製、以下「Ｅ液」という）、及び両性高分子ポリアクリルアミド（Ｂ）として、上述のＳ−ＥＢ／１０（西華産業（株）製、以下「Ｋ液」という）を用いた。
まず、無臭空気の入った臭い袋に、原臭として表１に示す各アルデヒドを５μＬ注入し、１分間手で振った後、１０分間静置した。かかる臭気を別の臭い袋に移し替えた。そこにＥ液１．５ｍＬを注入し、３０秒間手で振った後、５分間室温で静置した。次いで、静置後の臭気を新しい臭い袋に移し替え、そこにＫ液１．５ｍＬを注入して３０秒間手で振った後、５分間室温で静置した。得られた静置後の臭気について、以下に従って各評価を行った。結果を表１に示す。
【００４３】
《臭気強度（鼻）》
以下の基準に従って、臭気の不快度を鼻で官能評価した。
５．０  ：強烈な臭い
４．０  ：強い臭い
３．０  ：楽に感知できる臭い
２．０  ：何の臭いであるかを認識できる程度の弱い臭い
１．０  ：辛うじて感知できる臭い
０．０  ：無臭
【００４４】
《臭気強度（ニオイセンサー）》
ニオイセンサー（ＸＰ−３２９III、新コスモス電機製）を用い、臭気強度を測定した。値が大きいほど臭気強度が高いことを示す。
【００４５】
《アルデヒド除去率》
検知管（ガステック製、ホルムアルデヒド９１Ｌ・アセトアルデヒド９２Ｌ、測定単位：ｐｐｍ）を用いて、残存する各アルデヒド量を測定し、その除去率を算出した。
【００４６】
［比較例１〜３］
上記ベタイン関連化合物とスルホン酸塩との混合物（Ａ）の代わりに、ベタイン関連化合物（ＡＬＢＳ−１０６、エポリオン社製）を用いた以外、実施例１〜３に従って同様にして消臭処理を施した。得られた静置後の臭気について、上記と同様にして各評価を行った。結果を表１に示す。
【００４７】
［対照例１〜３］
対照例として、上記で用いた原臭を未処理のまま、上記と同様にして各評価を行った。結果を表１に示す。
【００４８】
【表１】
2012180420.tif 000004
【００４９】
［実施例４〜６］
実施例１〜３と同じベタイン関連化合物とスルホン酸塩との混合物（Ａ）（Ｅ液）及び両性高分子ポリアクリルアミド（Ｂ）（Ｋ液）を用いた。
【００５０】
まず、原臭として表１に示す各天然ゴムブロックを約１ｃｍにカットし、オイルバス（１５０℃）に加熱したトラップ装置内に入れた。次いで１５分間加熱した後、かかるトラップ内の臭気３Ｌを臭い袋に採取した。そこにＥ液１．５ｍＬを注入し、３０秒間手で振った後、５分間室温で静置した。静置後の臭気を新しい臭い袋に移し替え、そこにＫ液１．５ｍＬを注入して３０秒間手で振った後、５分間室温で静置した。得られた静置後の臭気について、以下に従って各評価を行った。結果を表２に示す。
【００５１】
《臭気強度（鼻）》
上記と同様して、臭気の強さを鼻で官能評価した。
【００５２】
《臭気濃度》
３点比較式臭袋法によって算出した。得られた値は無臭化に必要な希釈倍数を表し、値が小さいほど消臭効果に優れることを示す。
【００５３】
《臭気測定器による臭気評価》
臭気測定器（ｅ−ｎｏｓｅ、双葉エレクトロニクス製）を用い、重質、軽質、香質、強度、アンモニア系、硫化系の各項目について測定し、臭気の強度や質を評価した。
【００５４】
［比較例４〜６］
上記ベタイン関連化合物とスルホン酸塩との混合物（Ａ）の代わりに、ベタイン関連化合物（ＡＬＢＳ−１０６、エポリオン社製）を用いた以外、実施例１〜３に従って同様にして消臭処理を施した。得られた静置後の臭気について、上記と同様にして各評価を行った。結果を表２に示す。
【００５５】
［対照例４〜６］
対照例として、上記で用いた原臭を未処理のまま、上記と同様にして各評価を行った。結果を表２に示す。
【００５６】
【表２】
2012180420.tif 000005
【００５７】
※１：ラボ素練り技術的格付けゴムタイプ１
※２：ラボ素練りリブド・スモーク・シートタイプ
※３：ラボ素練り恒粘度化剤配合ＮＲタイプ
【００５８】
［比較例７］
混合混練り機（ミクストロンＢＢ−２、神戸製鋼社製）のアンダーミキサーから排出された素練りシートを用いて高濃度臭気（Ｘ）を採取し、ＢＯＦ（バッチオフ、ゴムシート乾燥用排気）の素練りシートから低濃度臭気（Ｙ）を採取した。得られた高濃度臭気（Ｘ）２Ｌに低濃度臭気（Ｙ）８Ｌを混合し、臭気Ｐを得た。得られた臭気について、以下に従って各評価を行った。結果を表３に示す。
【００５９】
［実施例７］
実施例１〜３と同じベタイン関連化合物とスルホン酸塩との混合物（Ａ）（Ｅ液）及び両性高分子ポリアクリルアミド（Ｂ）（Ｋ液）を用いた。
まず、比較例７で採取した高濃度臭気（Ｘ）２ＬにＥ液１．５ｍＬを注入し、３０秒間手で振った後、５分間静置した。次いで、静置後の臭気を新しい臭い袋に移し替え、そこにＫ液１．５ｍＬを注入して３０秒間手で振った後、５分間室温で静置した。得られた臭気を比較例７で採取した低濃度臭気（Ｙ）８Ｌと混合し、臭気Ｑを得た。得られた臭気について、以下に従って各評価を行った。結果を表３に示す。
【００６０】
［比較例８］
比較例７で採取した高濃度臭気（Ｘ）２Ｌを、外気である室内空気８Ｌと混合し、臭気Ｒを得た。得られた臭気について、以下に従って各評価を行った。結果を表４に示す。
【００６１】
［実施例８］
実施例１〜３と同じベタイン関連化合物とスルホン酸塩との混合物（Ａ）（Ｅ液）及び両性高分子ポリアクリルアミド（Ｂ）（Ｋ液）を用いた。
まず、比較例７で採取した高濃度臭気（Ｘ）２ＬにＥ液１．５ｍＬを注入し、３０秒間手で振った後、５分間静置した。次いで、静置後の臭気を新しい臭い袋に移し替え、そこにＫ液１．５ｍＬを注入して３０秒間手で振った後、５分間室温で静置した。得られた臭気を外気である室内空気８Ｌと混合し、臭気Ｓを得た。得られた臭気について、以下に従って各評価を行った。結果を表４に示す。
【００６２】
《臭気強度（鼻）》
上記と同様して、臭気の強さを鼻で官能評価した。
【００６３】
《臭気強度（ニオイセンサー）》
上記と同様して、ニオイセンサー（ＸＰ−３２９III、新コスモス電機製）を用い、臭気強度を測定した。
【００６４】
《快・不快度》
以下の基準に従って、臭気の不快度を官能評価した。値が小さいほど消臭効果に優れることを示す。
＋４．０：極端に快
＋３．０：非常に快
＋２．０：快
＋１．０：やや快
０      ：快でも不快でもなし
−１．０：やや不快
−２．０：不快
−３．０：非常に不快
−４．０：極端に不快
【００６５】
《臭気の質》
以下の基準に従って、臭気の質を「甘い焦げ臭」、「薄い焦げ臭」及び「薄いゴム臭」のいずれかであるかを官能評価した。
なお、「薄い焦げ臭」は、「甘い焦げ臭」よりも上質である（不快でない）。また、「薄いゴム臭」は、「甘い焦げ臭」や「薄い焦げ臭」よりも不快でなく、最も好適な質である。
【００６６】
【表３】
2012180420.tif 000006
【００６７】
【表４】
2012180420.tif 000007
【００６８】
表１〜２の結果より、ベタイン関連化合物とスルホン酸塩との混合物（Ａ）と両性高分子ポリアクリルアミド（Ｂ）とを用いた実施例１〜６は、比較例１〜６に比べ、種々のアルデヒドに対する低減率が非常に高く、ゴム臭を有効に低減できるとともに、残存する臭気評価も高く、極めて有効に空気が浄化されることがわかる。
【００６９】
また、表３〜４の結果より、ゴムの臭気成分を、ベタイン関連化合物とスルホン酸塩との混合物（Ａ）、及び両性高分子ポリアクリルアミド（共）重合体（Ｂ）と反応させた後に低濃度臭気（Ｙ）または外気と混合した実施例７〜８は、比較例７〜８に比べ、ゴム臭をより有効に低減できることがわかる。
【符号の説明】
【００７０】
１：消臭装置
２：管路
３，４：噴霧機
５：サイフォンタンク
６：検知機
７：エアー
１１：２流体ノズル
１２，１３：通路
【図１】
2012180420.tif 000008
【図２】
2012180420.tif 000009